(57)【要約】【課題】  キャスティングする際の空気の抵抗をなるべく減らし、それによって正確にキャスティングすることができ、しかも魚の餌である虫等の形を模したルアーが水面を流れる際、よりリアルにその虫等の振る舞いを表して、魚をより強く誘き寄せる新たなルアーを提供する。【解決手段】  水面を浮遊させて魚を誘うルアーであって、ルアー本体の水面から露出する上部に一対の翼部が夫々揺動可能に取り付けられ、その翼部が該上部から延びて水中に部分的に没するようにしたことを特徴とする。翼部は、夫々が左右に広げた位置と道糸方向に対して閉じた位置との間で揺動可能である【選択図】  図１
2005245245.tif 000002
【特許請求の範囲】
【請求項１】
水面を浮遊させて魚を誘うルアーであって、
ルアー本体の水面から露出する上部に一対の翼部が夫々揺動可能に取り付けられ、前記翼部が前記上部から延びて水中に部分的に没するようにしたことを特徴とする請求項１に記載のルアー。
【請求項２】
前記ルアー本体は昆虫の胴を模した形態を有し、前記胴の背に相当する部分に前記翼部が揺動可能に軸支されていることを特徴とする請求項１に記載のルアー。
【請求項３】
前記翼部は、夫々が左右に広げた位置と道糸方向に対して閉じた位置との間で揺動可能である請求項１又は２に記載のルアー。
【請求項４】
前記翼部は左右に広げたときに道糸方向に対して向く凹面が形成され、前記凹面はルアーを道糸方向に引いたときに受けた水を後方斜め下方に流すように形成されていることを特徴とする請求項１又は２に記載のルアー。
【発明の詳細な説明】
【技術分野】
【０００１】
この考案は、釣りを行うために使用されるルアーに関するものである。特に本発明は、水の浮力により浮いた状態で使用され、つながれた道糸（ライン）で水面上を引いて魚を誘き寄せる浮型ルアーに関するものである。
【背景技術】
【０００２】
従来から、昆虫を擬態として成形されたルアー、すなわち、釣り人が竿を巧みに操る事によって魚に魅力的な本物の餌と思わせる道具が知られている。
【０００３】
ルアーには、水中をリトリーブされるものと、水面上に浮かせてリトリーブされるものがある。後者のルアーは、通常それ自身の浮力によって水面に浮くようにし、水の流れに応じて移動しつつ、時々道糸（ライン）を引くことで、魚の注意を引くようにする。
【０００４】
また、よりリアルに見せるために、餌となる虫等の羽や触角をあしらった翼部を備えるルアーやその翼部が自由に動くようにしたルアーも知られている。実用新案登録第３０８４０４２号登録実用新案公報には、ルアーのボディの前端部に左右に開く一対の羽を模した翼部が下向きにおいて閉じるように開閉可能に軸支したルアーが開示されている。このルアーの翼部は、ルアーが浮力により水面上に飛び上がると、両翼が重力で下がって閉じ、ルアーが水面に落ちると両翼が水を迎い入れる角度の閉じた状態で水の抵抗を受ける結果として、前端部を中心としてルアーボディが激しく揺れるようにしている。
【０００５】
しかし、この翼部は、先端部の方向（すなわち、ルアーボディの中心軸方向）に延びた軸によって回転可能に軸支しているため、ルアーをキャスティングしても、ルアーボディの中心軸から直角に延びた羽によって空気の抵抗が起こる。また、軸回転する翼部の位置によってバランスが異なるために、十分正確なキャスティングが得られないといった問題を有していた。
【０００６】
他の先行技術では、虫を模した胴体の両側に羽等を模した翼部を左右に開いた状態から前方へと回動可能に軸支したルアーも知られている。しかし、側部に回動可能に設けるには、翼部の形そのものとその翼部を本体側部で軸支させる構造とが複雑となり、その軸支する部分が出っ張って空気の抵抗を受けやすくなったり、擬態としての虫等の特徴が損なわれるという問題を有している。また、側部の出っ張りを少なくしようとすると、側部が邪魔になって翼部が前方に回転する自由度が減り、十分閉じることが難しいということにもなることから、キャスティングをした場合に、その十分閉じられない翼部の抵抗によって飛距離を稼ぐことや正確なキャスティングの妨げとなる。さらに、側部に設けた翼部ではルアーを水に浮かしたときに翼部が殆ど水につかってしまい、細かくリトリーブしても水面上に十分波動を生ぜず、擬態であるルアーに魚を注視させることが難しい。
【特許文献１】第３０８４０４２号登録実用新案公報
【発明の開示】
【発明が解決しようとする課題】
【０００７】
本発明者は、キャスティングする際の空気の抵抗をなるべく減らし、それによって正確にキャスティングすることができ、しかも魚の餌である虫等の形を模したルアーが水面を流れる際、よりリアルにその虫等の振る舞いを表して、魚をより強く誘き寄せる新たなルアーがないかを試行錯誤した。
【課題を解決するための手段】
【０００８】
その結果、ルアーを引いたときに水面に浮かぶ生きた虫等の餌がもがく細かい波動を水面上に広げることができれば、魚をより多く誘うことができることがわかった。そして、その波動を発生させるには、ルアーに揺動可能に取り付けられた羽や触角などを模した翼部を利用し、その翼部が水面上から水面内に部分的に没するように構成し、ルアーを引いたときに水によって翼部に上方の力がかかるようにその翼部を形成すればよいことが解った。より具体的には、その翼部に回動可能に軸支する部分を虫等の胴体に似せたルアー本体の背に設けることで、そこから延びた翼部が部分的に水につかるようにすれば、道糸を引くと、その翼部が水面線で上限運動を行うととともに、水面に細かい波動が発生し、その水面上に波紋が広がることが明らかとなったのである。そして、背に翼部の根元があることで、虫等の擬態をリアルに表すことができることに加え、翼部をルアー本体の前方、すなわち道糸のある方向に閉じる自由度が増すことから、ルアーをキャスティングする際に、空気抵抗によって最小限の抵抗を受ける位置へと翼部が閉じることが可能となることが解った。
【０００９】
請求項１に係る発明は、水面を浮遊させて魚を誘うルアーであって、ルアー本体の水面から露出する上部に一対の翼部が夫々揺動可能に取り付けられ、その翼部が該上部から延びて水中に部分的に没するようにしたことを特徴とするルアーを開示するものである。
【００１０】
翼部を軸支する部分をルアー本体の水面から露出する部分に設けることで、虫等の姿態に似せることができ、部分的に水中に没する翼部によってルアーを引き寄せると水面を打ち、それによって波動が生じることとなる。
【００１１】
請求項２に係る発明は、ルアー本体は昆虫の胴を模した形態を有し、その昆虫の胴の背に相当する部分に翼部が揺動可能に軸支されていることを特徴とするルアーである。胴の背に羽等に相当する翼部をつけることで、極めてリアルに擬態を形成できるために、魚をより強く誘き寄せることが可能となる。
【００１２】
請求項３に係る発明は、上記翼部は、夫々が左右に広げた位置と道糸方向に対して閉じた位置との間で揺動可能であることを特徴とするものである。道糸を引いたときに左右に広げる位置を維持できることで、水面に羽を広げて落ちた虫に似せるとともに、キャスティングを行ったときには道糸の抵抗によって胴体から大きく出っ張る事無く道糸の方向に閉じた状態となり、極めて空気の抵抗を少なくすることができることから、遠くにしかも正確にキャスティングすることができるようになる。
【００１３】
また、請求項４に係る発明は、翼部は左右に広げたときに道糸方向に対して向く凹面が形成され、その凹面はルアーを道糸方向に引いたときに受けた水を後方斜め下方に流すように形成されていることを特徴とするものある。これによりルアーを引くクイックアクションを行うと、翼部が受ける水からの抵抗によって水面上方に持ち上げられ、翼部の下辺部分が水面を擦るようにして引かれたり、強く引くアクションを行うと、水面から飛び上がった翼部が落下して水面を叩くといった具体で、水面に細かく強い波動を形成することができる。
【発明を実施するための最良の形態】
【００１４】
本発明の実施の一形態を図を参照しながら説明する。
【００１５】
図１は、本発明の疑似餌の一例を表した全体斜視図である。本発明によるルアー１は、ルアー本体２と、ルアー本体２の背に回動可能に取り付けられた羽を模した翼部３とを有する。ルアー本体２には、釣り竿（図示せず）から延びる道糸をかけるラインアイ４と、第1のフックアイ５と第２のフックアイ６とが設けられている。
【００１６】
ラインアイ４は道糸が通される孔部を有し、虫を模した胴体２の下部前方に配置され、第１及び第２のフックアイ５、６は、針をかけるための孔部を有し、夫々胴体２の中央部分の下部と、ラインアイ４とは胴体の後方下部に配置されている。
【００１７】
ルアー本体２は、左右対称のモジュールからなっており、夫々のモジュールの面が貼り合わされて一体のルアー本体２を形成している。図２は、図１からみて左側のモジュールの側面図である。モジュールは樹脂を一体成形して得ることができ、内部２ａに空洞を設けて浮力がつくようにしている。
【００１８】
各アイ４、５、６は金属から打ち抜いて成形することができ、対称の一対の孔部とその孔部を中央で結ぶ連結部を有する一体構造となっている。一方の孔部及び連結部が内部に収容されるようにルアー本体１に空隙２ｂ、２ｃ、２ｄが設けられている。ルアー本体２の内部後方にはバランサーの役割をする重り８が収容可能な空間部２ｅが設けられている。
【００１９】
図１に戻ると、一対の翼部３の一端がルアー本体（胴体）２の上部にあたる背に支持ピン７を中心として水平方向に回動可能に取り付けられている。翼部３は、羽を模した透明又は半透明の樹脂から成形して虫の羽を模しており、半円弧状の面が支持ピン７で支えられた根元から細長く先端まで延びている。図１は、翼部３を丁度左右に開いた状態を示しており、その状態を表した正面図を図３に、側面図を図４、そして平面図を図５に簡略的に示している。この図１、図３乃至図５から明らかなように、翼部３は、道糸を結ぶラインアイ４の方向にその面が向くようになっている。翼部３の上辺は支持ピン７の位置からそのまま左右に同じ高さか、やや下降する程度に末端まで延びているが、その下辺は背から胴に回って延びたのち胴の腹と同程度の位置で末端まで延びている。翼部３が左右に開いたときに胴２を回る一辺が胴２に当たりそれ以上翼部が後方に回転することを防止する。
【００２０】
図５のＡ−Ａ’及びＢ−Ｂ’に沿って切断した翼部３の面を図８のルアー１の側面図に合成して太線（夫々を符号Ａ，Ｂで表す）で示す。破線はルアー１が水に浮いたときの水面を示している。水面が丁度ラインＡ、Ｂを一部横切るようにルアー１の比重が調整されている。また、翼部３は左右に開いたときに道糸Ｐによって引く方向（前方方向）にラインＡ、Ｂで示した凹面が向き、ラインＡ、Ｂは翼部の上部前方から下部後方にかけて曲線を描いている。このように、翼部３の上部から下部にいたる湾曲した面がルアー本体１の胴近傍から翼部先端まで続く。道糸Ｐでルアー１を引いたときに、翼部３の一辺が胴にあたって左右に開いたままそれ以上後方に回転することがないため、翼部３の凹面に流れた水は、後方に向けて斜め下に流れ、この水流により翼部３は上方に反作用をうける。翼部３は左右に対称に対に設けられているために、夫々が上方に向かおうとする力が生じ、道糸Ｐを引くと翼部３が水面を越えてルアー１の自重で水面をたたいたり、あるいは翼部３の下辺が水面を擦るように進むため水面に波紋が生じる。また、両翼部３の左右が少しバランスを崩すと、胴体であるとルアー本体２を中心に左右にローリング（揺れ）を生じて交互に水面をたたいたりして多様な動作を行う。以上の作用により、虫があたかもも羽を開いて水面上でもがくような振る舞いをルアー１が起こすのである。
【００２１】
図６及び図７は夫々翼部３を前方に閉じたときのルアー１の側面図及び平面図である。ほぼ垂直軸で軸支する支持ピン７を中心として回動可能な翼部３は、ラインアイ４に結ばれる道糸Ｐの方向に互いが略並行に閉じることが可能である。ルアーをキャスティングすると、ルアー１の飛ぶ方向は道糸Ｐの抵抗があるために尻尾となる後部が先行する。このとき開かれた翼部３は空気抵抗によりルアーの先端に翼部３が閉じ、これによって空気抵抗を減らして、飛距離を稼ぎ出すことを可能としている。閉じた翼部３は背の根元からルアー本体の先端部分を各翼部の凹面が覆うようにして先に延びるため、翼部は胴の太さからほぼ連続して閉じるように成形することができる。これによって翼部３が胴の周りに不必要に拡大することがなく、空気抵抗をより低減することもできるのである。尚、中にある重り８を内部で可動に配置することで、キャスティングしたときにより尻尾の方から先に飛ぶようにしてもよい。
【００２２】
図９及び図１０は、支持ピン７と、支持ピン７が嵌合するためにルアー本体２の上部にある背に設けられた凹部９の側部断面図を示している。但し、これはあくまで例示であって、翼部３を両側に広げた位置と先端の閉じた位置に回動可能であるならば、この取り付け方法に限定されるものではない。翼部３の根元はルアー本体の上面（背面）と略並行となるように形成された扁平な面を有している。その扁平な面の一部には円形の孔３ａが設けられている。支持ピン７は、扁平で円形の頭部７ｃとその頭部７ｃの中心から一定の径で延びた軸７ｂとその軸７ｂの中心からさらに細い一定の径で延びた突端部７ａから段階的に構成されている。ルアー本体２の背にはほぼ垂直に孔９が設けられている。孔９は支持ピン７の突端部７ａと軸７ｂとが夫々嵌合するように段違いの孔９ａ、９ｂが設けられている。翼部３の孔３ａの径は支持ピン７の軸７の径よりも僅かに大きく、支持ピンの軸７ｂが翼部３の孔３ａに挿入してもその軸７を中心に翼部３が自由に回転可能にしている。また、図１０のように、支持ピンの軸７ｂを翼部３の孔３ａに挿入し、ルアー本体２の背に設けられた孔９ａ、９ｂに突端部７ａと軸７ｂとが丁度嵌ったとき、頭部７ｃの下面とルアー本体２の上面との間に翼部３の厚さよりも僅かに開いた隙間を生じさせるようにし、翼部３はほぼ垂直に嵌合した支持ピン７を中心として略水平方向に自由に回転可能にとなる。このように、翼部３はルアー本体２の背面に密着させず可動式に固定されることで、その固定位置を支点とした開閉を可能としている。従って、本体側面に余分な一切の付属形態を持たないために、ルアー本体２そのものがよりリアルな擬態となり、水面に浮かべたときにより本物に近いシルエットを作りだす。また、その付け根を昆虫の胴を模ったルアー本体の背に持つことから、より自然な昆虫の姿態に近づくこととなるのである。
【００２３】
このように、昆虫等の羽をあしらった翼部の根元の回転軸支部分をその胴の背にあたるルアー本体の上部に設けることで、全体として昆虫等に似せるとともに、ルアーを水面に浮かしたときに、その回転軸である根元から延びた翼部が部分的に水につかるようにし、しかもルアーを引いて道糸方向に進ませたときに翼部を開いた状態に維持して水の抵抗を受けながら水を斜め後方に流れさせるような流路をもたらす翼部の凹面を形成する。これによって翼部が水面を上下して波動を形成させることができるために、魚の注意をひき、しかもよりリアルに虫等が水面でもがく姿を演出できることから、魚をそれによって効果的におびき寄せることが可能となるのである。
【図面の簡単な説明】
【００２４】
【図１】本発明の例によるルアーの全体斜視図である。
【図２】図１のルアーの簡略化した側面断面図である。
【図３】図１のルアーの翼部を開いた状態の簡略化した正面図である。
【図４】図１のルアーの翼部を開いた状態の簡略化した側面図である。
【図５】図１のルアーの翼部を開いた状態の簡略化した平面図である。
【図６】図４の側面図に翼部に翼部の側面断面図をあてはめた図である。
【図７】図１のルアーの翼部を前方に閉じた状態の簡略化した側面図である。
【図８】図１のルアーの翼部を前方に閉じた状態の簡略化した平面図である。
【図９】支持ピンにより翼部をルアー本体に取り付ける前の側面断面図である。
【図１０】支持ピンにより翼部をルアー本体に取り付けたときの側面断面図である。
【符号の説明】
【００２５】
１．．．ルアー
２．．．ルアー本体（胴体）
３．．．翼部
４．．．ラインアイ
５、６．．．フックアイ
７．．．支持ピン
８．．．バランサー（重り）
９．．．支持ピン受け部
【図１】
2005245245.tif 000003
【図２】
2005245245.tif 000004
【図３】
2005245245.tif 000005
【図４】
2005245245.tif 000006
【図５】
2005245245.tif 000007
【図６】
2005245245.tif 000008
【図７】
2005245245.tif 000009
【図８】
2005245245.tif 000010
【図９】
2005245245.tif 000011
【図１０】
2005245245.tif 000012